(57)【要約】【課題】キー機能を具えたタッチパッドの操作方法の提供。【解決手段】本発明はａ．手指がカーソルエリアに接触し押圧或いは押圧解除する動作はいずれもカーソル制御命令と見なす。ｂ．手指がカーソルエリア接触後にキーエリアに進入し押圧或いは押圧解除する動作はカーソル制御命令と見なす。ｃ．手指がキーエリア接触後にカーソルエリアに進入し押圧或いは押圧解除する動作はカーソル制御命令と見なす。ｄ．手指がカーソルエリアに接触してキーエリアに進入した後、手指が該タッチパッドを離れ、設定時間内に手指が再度原位置でキーエリアに接触し並びに押圧或いは押圧解除する動作は、カーソル制御命令と見なす。ｅ．手指がキーエリアに接触し、押圧後にスライドしなければ、キー制御命令と見なす。以上のステップを包含し、使用者にタッチパッドでスクリーンのカーソル制御を行わせるほか、タッチパッドを利用してキー制御命令を入力でき、使用者がタッチパッドとキーボード間で往復して操作する負担を軽減する。【選択図】図３
2010231753.tif 000002
【特許請求の範囲】
【請求項１】
上下運動可能なタッチパッド及び該タッチパッドの下方に設けられたキーで構成されて該タッチパッドにカーソルエリアとキーエリアが設けられたタッチパッド装置に適用されるキー機能を具えたタッチパッドの操作方法において、
ａ．手指がカーソルエリアに接触し押圧或いは押圧解除する動作はいずれもカーソル制御命令と見なす、
ｂ．手指がカーソルエリア接触後にキーエリアに進入し押圧或いは押圧解除する動作はカーソル制御命令と見なす、
ｃ．手指がキーエリア接触後にカーソルエリアに進入し押圧或いは押圧解除する動作はカーソル制御命令と見なす、
ｄ．手指がカーソルエリアに接触し並びにキーエリアに進入した後、手指が該タッチパッドを離れ、設定時間内に手指が再度原位置でキーエリアに接触し並びに押圧或いは押圧解除する動作は、カーソル制御命令と見なす、
ｅ．手指がキーエリアに接触し、押圧後にスライドしなければ、キー制御命令と見なす、
以上のａからｅのステップを包含したことを特徴とする、キー機能を具えたタッチパッドの操作方法。
【請求項２】
請求項１記載のキー機能を具えたタッチパッドの操作方法において、前記ｅのステップ中、手指が該タッチパッドのキーを押圧してスライド開始して該手指のスライドが設定距離を超過した時、カーソル移動制御と見なすことを特徴とする、キー機能を具えたタッチパッドの操作方法。
【請求項３】
請求項１記載のキー機能を具えたタッチパッドの操作方法において、前記ｅのステップ中、手指が該タッチパッドのキーを押圧してスライド開始し、該キーエリア内にあって、該手指が一つのキーの範囲から別のキーの範囲にスライドし、並びに押圧動作を行えば、最後の押圧位置でのキー入力となすことを特徴とする、キー機能を具えたタッチパッドの操作方法。
【請求項４】
請求項１記載のキー機能を具えたタッチパッドの操作方法において、前記ｅのステップ中、手指が該タッチパッドのキーを押圧してスライド開始し、該キーエリア内にあって、手指のスライド方向がキーエリアに向かうものであれば、カーソル移動制御と見なし、該手指のスライド方向が隣り合うキーエリアに向かうものであれば、カーソル移動の機能を実行しないことを特徴とする、キー機能を具えたタッチパッドの操作方法。
【請求項５】
請求項１記載のキー機能を具えたタッチパッドの操作方法において、前記ｅのステップ中、該手指がキーエリアで押圧する時間が第１設定時間より大きければ、キー入力を実行することを特徴とする、キー機能を具えたタッチパッドの操作方法。
【請求項６】
請求項１記載のキー機能を具えたタッチパッドの操作方法において、前記ｅのステップ中、該手指がキーエリアで押圧し、その不釈放の時間が第２設定時間より小さければ、キー入力を実行することを特徴とする、キー機能を具えたタッチパッドの操作方法。
【発明の詳細な説明】
【技術分野】
【０００１】
本発明は、一種のキー機能を具えたタッチパッドの操作方法に係り、使用者にタッチパッドでスクリーンのカーソル制御を行わせるほか、使用者がタッチパッドを利用してキー制御命令を入力できるようにし、使用者がタッチパッドとキーボード間で往復して操作する負担を軽減する、キー機能を具えたタッチパッドの操作方法に関する。
【背景技術】
【０００２】
カーソル制御装置は各種あり、マウスが最も普及しており、コンピュータ操作に便利であるように、通常マウスにはカーソル制御のほか、その他の常用のキー、例えば、スクロール（上下左右）、更には拡大縮小、前頁、次頁等の、ホームページ或いは文献閲覧に常用される機能が付加され、これらの機能は通常キーボードでも操作できるが、キーボードの各キーはそれぞれ既存の定義を有し、上述の機能を達成するならば、複合キーを組み合わせなければならず、使用者の操作を却って複雑とし、記憶上の負担も形成する。
【０００３】
マウスに特殊なクイックキーを加えることは、使用者にとっては非常に便利なインタフェース工具となるが、マウスはノートＰＣには備えつけられておらず、ノートＰＣにはその代わりにタッチパッドが設置されている。しかしタッチパッドは使用可能面積に制限があるため、ノートＰＣにはタッチパッドとマウスの左右のボタンが設置されているが、常用機能操作のためのクイックキーを増設することは難しい。
【０００４】
タッチパッドには、その特定位置、通常右側或いは下方の辺縁にスクロール軸エリアが設けられてスクロール軸の上下と左右を操作して該エリアで辺縁に沿って移動させてスクロール軸をスクロールさせることができるものがあり、さらにまた、上方側辺に上下頁エリアが設けられ、手指を該エリアで左にスライドさせることで前頁の命令を送出でき、手指を該エリアで右にスライドさせることで次頁の命令を送出できるものがある。さらに２本以上の指の接触と運動を検出し、２本の指が接触し並びに外向きに開かれるとイメージ拡大の命令を送出し、２本の指が接触し並びに内向きに閉じ合わされると縮小の命令を送出するものがある。
【０００５】
上述の方法は、有限なタッチパッド面積にクイックキーの機能を持たせるものであるが、スライドする手の動作とカーソル移動の動作は類似し、且つカーソル操作時に目はスクリーンを見ており、手指の位置を正確には掌握できず、手指が不注意からこれら特殊機能のエリアに至ると、誤動作を非常に形成しやすく、クイックキーの特殊機能は便利性をもたらすものの、却って予期しない誤動作を発生し、頭を悩ませるだけで、その便利さを補強できるものとならず、これらのクイックキーが提供する特殊機能は表示しがたく、使用者が記憶に頼って操作する必要があるため、直覚性を喪失する。
【０００６】
以上の理由に基づき、ほぼ全てのノートＰＣにタッチパッドが設けられているにも関わらず、高い割合で多くの人がノートＰＣを使用する時にマウスを接続して使用しており、マウスの有する優れたカーソル操作性のほかマウスの有するカーソル制御以外の機能によりその操作の便利性を増している。
【０００７】
特許文献１は一体成形のタッチパッドモジュールを提供し、それは周囲の機能キーを整合させたタッチパッドがケース下方に貼り付けられ、これにより、該タッチパッドモジュールを使用する機構に孔を開ける必要がなく、且つ余分な実体キーを必要とせず、一体成形、コストダウン、防水防塵の目的を達成し、このタッチパッドは上下二つのブロックに分けられ、上ブロックはカーソル操作エリアとされ、下ブロックは機能キーとされる。
【０００８】
特許文献２はキーと手書き機能を整合させた静電容量式タッチパッドを提供し、それはキー、手書き入力或いはマウスの多種類の操作モードを有し、該タッチパッド上に複数のエリアが画定され、その上に提供する操作モードに対応する複数の図案が印刷され、該図案はモード切換えスイッチを包含し、使用者による操作モード選択に供する。例えばキーモードでは、これら図案の包含するキー図案はキーボードとされ、手書き入力モードでは、手書き認識エリアを包含して手書き入力に供し、マウスモードでは、更にカーソル動作エリア、水平及び垂直スクロールエリアを包含する。
【０００９】
特許文献３はキータッチパッドモジュールを提供し、それは絶縁材料エリア、軟性タッチパッド及びキーセットで構成されている。その軟性タッチパッドの有する軟性印刷回路板の特性を利用し、キータッチパッドモジュール底部の発光ダイオードに均一に光線を投射させ、使用時にタッチコントロールの実感をえられ、使用者がキーを押圧する実体感を有し、並びにタッチパッドの感応量の非線形の問題を改善する。
【００１０】
特許文献４はタッチパッドを利用したワード入力の方法を提供し、それはノートＰＣのタッチパッドでワードを入力できる。
【００１１】
特許文献５はキー機能を有するタッチコントロール軸を提供し、それは複数のスクロール軸感応エリアと少なくとも一つのキー感応エリアを有し、該キー感応エリアが隣り合うスクロール軸感応エリアの間に設置され、該キー感応エリア付近が仮想キーと定義される。
【先行技術文献】
【特許文献】
【００１２】
【特許文献１】台湾特許第０９４２０９８６９号明細書
【特許文献２】台湾特許第０９２２０５２１７号明細書
【特許文献３】台湾特許第０９４２１６４００号明細書
【特許文献４】台湾特許第０９０１０６６７３号明細書
【特許文献５】台湾特許第０９４２１９４９７号明細書
【発明の概要】
【発明が解決しようとする課題】
【００１３】
以上の従来の技術のスクリーン上のカーソル移動制御に関係する技術は、使用上、スクリーン上のカーソルを目標位置に速やかに移動させる必要があり、また、使用者の手指をタッチパッドとキーの間で往復移動させる負担を軽減させることも考慮する必要がある。このため本発明の目的は、この周知の技術の問題を解決するキー機能を具えたタッチパッドの操作方法を提供することにある。
【課題を解決するための手段】
【００１４】
本発明のキー機能を具えたタッチパッドの操作方法は、タッチパッドへの手指接触状態を検出し、スクリーン上の操作をカーソル移動或いはキー入力の操作モードとなす。
【００１５】
本発明の方法は以下のａからｅのステップを包含する。すなわち、
ａ．手指がカーソルエリアに接触し押圧或いは押圧解除する動作はいずれもカーソル制御命令と見なす。
ｂ．手指がカーソルエリア接触後にキーエリアに進入し押圧或いは押圧解除する動作はカーソル制御命令と見なす。
ｃ．手指がキーエリア接触後にカーソルエリアに進入し押圧或いは押圧解除する動作はカーソル制御命令と見なす。
ｄ．手指がカーソルエリアに接触してキーエリアに進入した後、手指が該タッチパッドを離れ、設定時間内に手指が再度原位置でキーエリアに接触し並びに押圧或いは押圧解除する動作は、カーソル制御命令と見なす。
ｅ．手指がキーエリアに接触し、押圧後にスライドしなければ、キー制御命令と見なす。
以上のステップにより、周知のタッチパッドの欠点を解決し、並びに操作の便利性を達成し使用者の手指の負担を軽減する。
【００１６】
上述のｅのステップ中、手指が該タッチパッドのキーを押圧してスライド開始して該手指のスライドが設定距離を超過した時、カーソル移動制御と見なす。
【００１７】
上述のｅのステップ中、手指が該タッチパッドのキーを押圧してスライド開始してキーエリア内にあって、該手指のスライド方向がキーエリアに向かうものであれば、カーソル移動制御と見なし、該手指のスライド方向が隣り合うキーエリアに向かうものであれば、カーソル移動の機能を実行しない。
【００１８】
上述のｅのステップ中、該手指がキーエリアで押圧した後に設定時間内に押圧解除しなければ、カーソル動作を実行する（このときキー入力を実行しない）。
【発明の効果】
【００１９】
本発明の方法は、使用者にタッチパッドでスクリーンのカーソル制御を行わせるほか、タッチパッドを利用してキー制御命令を入力でき、使用者がタッチパッドとキーボード間で往復して操作する負担を軽減する。
【図面の簡単な説明】
【００２０】
【図１】本発明の運用されるタッチパッド装置の断面図である。
【図２】本発明の運用されるタッチパッドの実施例表示図である。
【図３】本発明の制御方法のステップ表示図である。
【図４】本発明の具体的実施フローチャートである。
【図５】本発明の操作順序と操作結果対応図である。
【発明を実施するための形態】
【００２１】
図１、２に示されるように、本発明の上述の目的を達成するため、本発明の方法は、タッチパッドへの手指接触状態を検出し、スクリーン上の操作をカーソル移動或いはキー入力の操作モードとなす制御を行う。それは、上下運動可能なタッチパッド１１及び該タッチパッド１１の下方に設けられたキー１２で構成されて該タッチパッド１１にカーソルエリア１１１とキーエリア１１２（少なくとも一つのキーａ、ｂ、ｃを包含する）が設けられたタッチパッド装置１に適用される。
【００２２】
上述の本発明のタッチパッド装置１の基本構造下で、本発明の操作方法は図３に示されるように、以下のステップを有する（図４の本発明の作動フローチャート及び図５の操作順序と操作結果対応図も参照されたい）。
ａ．手指がカーソルエリアに接触し押圧或いは押圧解除する動作はいずれもカーソル制御命令と見なす（ステップ２０１）。
すなわち、該タッチパッド１が手指の接触を検出し（ステップ２１１）、並びにその接触位置がキーエリア１１２であるかを判断し（ステップ２１２）、イエスであれば手指がキーエリア１１２にあることを示し、ノーであれば手指がカーソルエリア１１１内にあることを示し、手指が接触後に続いて該タッチパッド１１の下方のキー１２を押圧或いは押圧解除する連続動作を行う時（ステップ２１５）、カーソル制御命令を実行し（ステップ２１６）、カーソルの移動を制御する。
ｂ．手指がカーソルエリア接触後にキーエリアに進入し押圧或いは押圧解除する動作はカーソル制御命令と見なす（ステップ２０２）。
すなわち、手指がカーソルエリア１１１に接触（ステップ２１４）し並びにキーエリア１１２に進入し（ステップ２１７、２１８）た後、手指で該タッチパッド１１下方のキー１２を押圧或いは押圧解除（押圧後に開放）する時（ステップ２１９）、カーソル制御命令を実行する（ステップ２１６）。
ｃ．手指がキーエリア接触後にカーソルエリアに進入し押圧或いは押圧解除する動作はカーソル制御命令と見なす（ステップ２０３）。
すなわち、手指がキーエリア１１２に接触（ステップ２１３）後にカーソルエリア１１１に進入（ステップ２２２、２２３、２２４、２１４）した後に、手指で該タッチパッド１１下方のキー１２を押圧或いは押圧解除（押圧後に開放）する時（ステップ２１５）、カーソル制御命令を実行する（ステップ２１６）。
ｄ．手指がカーソルエリアに接触し並びにキーエリアに進入した後、手指が該タッチパッドを離れ、設定時間内に手指が再度原位置でキーエリアに接触し並びに押圧或いは押圧解除（押圧後に開放）する動作は、カーソル制御命令と見なす（ステップ２０４）。
すなわち、手指がカーソルエリア１１１に接触（ステップ２１４）、並びにキーエリア１１２に進入（ステップ２１５、２１７、２１８）した後、手指が該タッチパッド１１を離れ（ステップ２１９、２２０）、設定時間ｔ３内に手指が再度原位置に戻り（ステップ２２１）、並びに該タッチパッド１１下方のキー１２を押圧或いは押圧解除（押圧後に開放）する（ステップ２１５）時、カーソル制御命令を実行する（ステップ２１６）。
ｅ．手指がキーエリアに接触し、押圧後にスライドしなければ、キー制御命令と見なす（ステップ２０５）。
すなわち、手指がキーエリア１１２に接触（ステップ２１３）、該タッチパッド１１を押圧した後にスライドしない時間が第１設定時間ｔ１より大きく、且つその不釈放の時間が第２設定時間ｔ２より小さい時（ステップ２２２、２２８、２２９）、キー命令を実行し（ステップ２３１）、キー入力機能を実行する。
【００２３】
上述の本発明の方法のｅのステップ中、手指がタッチパッド１１のキー１２を押圧した後にスライド開始する時（ステップ２２８がノーである時）、キーエリア１１２内で、該手指のスライド方向がキーエリア１１２に向かうものであれば、カーソル移動制御と見なし（ステップ２２５、２１６）、反対に該手指のスライド方向が隣り合うキーエリアに向かうものであれば、カーソル移動の機能を実行しない（ステップ２２５がノーの時）。
【００２４】
上述のｅのステップ中、該手指がタッチパッド１１のキー１２を押圧した後にスライド開始する時（ステップ２２８がノーの時）、手指がキーエリア１１２内にあって、手指のスライドが設定距離Ｄを超過する時（ステップ２２６）、カーソル制御命令を実行する（ステップ２１６）。
【００２５】
上述のｅのステップ中、手指が該タッチパッド１１のキー１２を押圧した後にスライド開始し（ステップ２２８がノーの時）、キーエリア１１２の範囲内にあって、該手指が一つのキーａの範囲より別のキーｂの範囲にスライド移動し（ステップ２２７）、並びに最後の位置で押圧動作を行うと、最後の押圧位置のキー入力と見なし（ステップ２３０、２３１）、こうしてカーソル移動の操作を制御するのみならず、短時間内にキー命令制御の操作に転換することができる。
【００２６】
総合すると、本発明のキー機能を具えたタッチパッドの操作方法は、使用者にタッチパッドでスクリーンのカーソル制御を行わせるほか、タッチパッドを利用してキー制御命令を入力でき、使用者がタッチパッドとキーボード間で往復して操作する負担を軽減する。
【符号の説明】
【００２７】
１  タッチパッド装置          １１  タッチパッド            １２  キー
１１１  カーソルエリア        １１２  キーエリア
ａ、ｂ、ｃ  キー
【図１】
2010231753.tif 000003
【図２】
2010231753.tif 000004
【図３】
2010231753.tif 000005
【図４】
2010231753.tif 000006
【図５】
2010231753.tif 000007